【事件の表示】
　特許第２８３３６９７号「動物用排尿処理材」の請求項１ないし６に係る特許に対する特許異議の申立てについて、次のとおり決定する。
【結　論】
　訂正を認める。
　特許第２８３３６９７号の請求項１ないし４に係る特許を維持する。
【理　由】
（１）手続の経緯
　特許第２８３３６９７号に係る発明についての出願は、平成８年１０月１４日に出願され、平成１０年１０月２日にその発明について特許の設定登録がなされ、その後、その特許について、異議申立人により特許異議の申立てがなされ、取消理由通知がなされ、その指定期間内である平成１２年２月４日に訂正請求がなされたものである。
（２）訂正の適否ついての判断
ア．訂正の内容
　特許権者が求めている訂正の内容は、以下のとおりである。
（ａ） 特許請求の範囲の
「【請求項１】無加水状態で圧縮成形により定形に造粒された吸水性粗粒状物から成り、上記吸水性粗粒状物中に吸水性ポリマーが配合され、該吸水性ポリマーが上記吸水性粗粒状物の表面に弱反応被層を形成してある動物用排尿処理材。
【請求項２】圧縮成形により定形に造粒された吸水性粗粒状物からなり、同粗粒状物は周面形状が円形又は多角形で上面と下面の双方又は一方の形状が凸曲形に賦形されている動物用排尿処理材。
【請求項３】圧縮成形により定形に造粒された吸水性粗粒状物からなり、同粗粒状物は周面形状が円形又は多角形で上面と下面の双方又は一方の形状が凹曲形に賦形されている動物用排尿処理材。
【請求項４】上記吸水性粗粒状物中に吸水性ポリマーが配合され、該吸水性ポリマーが上記吸水性粗粒状物の表面に弱反応被層を形成している請求項２又は３記載の動物用排尿処理材。
【請求項５】上記吸水性粗粒状物の表面をカバーコートで一体に覆ったことを特徴とする請求項２又は３記載の動物用排尿処理材。
【請求項６】無加水状態で圧縮成形により定形に造粒された吸水性粗粒状物から成り、上記吸水性粗粒状物の表面を吸水性ポリマー又はポリビニルアルコール又は紙粉又は澱粉又はポリエチレングリコール又はポリプロピレングリコールから成るカバーコートで一体に覆ったことを特徴とする動物用排尿処理材。」を
「【請求項１】圧縮成形により定形に造粒された吸水性粗粒状物からなり、同粗粒状物は周面形状が円形又は多角形で上面と下面の双方又は一方の形状が凸曲形に賦形されている動物用排尿処理材。
【請求項２】圧縮成形により定形に造粒された吸水性粗粒状物からなり、同粗粒状物は周面形状が円形又は多角形で上面と下面の双方又は一方の形状が凹曲形に賦形されている動物用排尿処理材。
【請求項３】上記吸水性粗粒状物中に吸水性ポリマーが配合され、該吸水性ポリマーが上記吸水性粗粒状物の表面に弱反応被層を形成している請求項２又は３記載の動物用排尿処理材。
【請求項４】上記吸水性粗粒状物の表面をカバーコートで一体に覆ったことを特徴とする請求項２又は３記載の動物用排尿処理材。
」と訂正する。
（ｂ）明細書の「【００２６】又は上記無加水圧縮成形により上下面形状がフラット形の吸水性粗粒状物に賦形する。」を削除する。
イ．訂正の目的の適否、新規事項の有無、及び拡張・変更の存否
　上記訂正事項（ａ）は、請求項１及び６を削除し、この請求項１の削除に伴って、請求項２ないし５の項番を繰り上げるものであるから、特許請求の範囲の減縮を目的とするものに該当する。
　上記訂正事項（ｂ）は、特許請求の範囲を減縮したことにともなって発明の詳細な説明を整合されるためのものであるから明りょうでない記載の釈明を目的とするものに該当する。
　そして、上記訂正は願書に添付した明細書または図面に記載された事項の範囲を越えるものとは認められないから、新規事項の追加に該当せず、また特許請求の範囲を実質的に拡張または変更するものではない。
ウ．独立特許要件
（訂正明細書の請求項１ないし４に係る発明）
　訂正明細書の請求項１ないし４に係る発明は、その特許請求の範囲の請求項１ないし４に記載された次の事項により特定されるとおりのものである。
「【請求項１】圧縮成形により定形に造粒された吸水性粗粒状物からなり、同粗粒状物は周面形状が円形又は多角形で上面と下面の双方又は一方の形状が凸曲形に賦形されている動物用排尿処理材。
【請求項２】圧縮成形により定形に造粒された吸水性粗粒状物からなり、同粗粒状物は周面形状が円形又は多角形で上面と下面の双方又は一方の形状が凹曲形に賦形されている動物用排尿処理材。
【請求項３】上記吸水性粗粒状物中に吸水性ポリマーが配合され、該吸水性ポリマーが上記吸水性粗粒状物の表面に弱反応被層を形成している請求項２又は３記載の動物用排尿処理材。
【請求項４】上記吸水性粗粒状物の表面をカバーコートで一体に覆ったことを特徴とする請求項２又は３記載の動物用排尿処理材。」
（引用刊行物に記載の発明）
　訂正明細書の請求項１ないし４に係る発明に対し、当審が平成１１年１１月１５日付けで通知した取消理由で引用した刊行物１（特開平６−７８６４３号公報）には、「有機性の繊維物質（Ａ）、吸水性樹脂（Ｂ）の粉末および必要によりバインダー（Ｃ）からなる混合物を乾式加圧成形してなるペットの排泄物処理材」（請求項１）が記載され、「本発明は、・・・猫や犬などのペットの排泄物を・・・処理できる新規な処理材に関するものである」（段落０００１）こと、「（Ａ）、（Ｂ）粉末および必要により（Ｃ）からなる混合物を乾式加圧成形する方法としては、・・・混合物を適当な形、大きさの型の中でペレット状に乾式加圧成形する方法、または・・・いったんシート状、棒状あるいはブロック状に乾式加圧成形した後、適当な大きさに裁断または粉砕する方法が挙げられる・・・加圧成形はロール式加圧成形機（ブリケットマシーンなど）、ピストン式加圧成形機、スクリュー式加圧成形機、目皿押し出し式加圧成形機（ディスクペレッターなど）などを用いて行うことができる。・・・得られた加圧成形物の形状は任意でよく、たとえば球状、円筒状、板状、岩状、直方体状、円錐状、角錐状、棒状などの種々の形状があげられる。」（段落００１５．００１６）こと、「（１）従来のような湿式下で造粒せず、乾式下で加圧成形し、また後乾燥もしないため、有機性の繊維粒子同士が過度に固着することがなく、尿の吸収が速い。」（段落００２６）ことが記載されている。
　上記記載を総合すると、刊行物１には、「乾式加圧成形により定形に造粒された吸水性粗粒状物から成り、上記吸水性粗粒状物中に吸水性樹脂が配合された動物用排尿処理材」が記載され、吸水性粗粒状物の形状は、たとえば球状、円筒状、板状、岩状、直方体状、円錐状、角錐状、棒状などの種々の形状等任意のものと認める。
　刊行物２（特開平４−３３５８４１号公報）には、「粉末状または短繊維状の排泄物処理用基材の造粒物と該造粒物の表面にまぶされた吸水性樹脂微粉末からなる排泄物用処理材」（請求項１）が記載され、「本発明は、・・・猫や犬などの動物の排泄物を・・・処理できる処理材・・・に関するものである。」（段落０００１）こと、「本発明においては、該排泄物処理用基材の造粒物の製造方法としては・・・加圧成形により造粒する方法などがあげられる。」（段落００１０）こと、「・・・具体例としては、基材を適当な形、大きさの型の中でペレット状に加圧成形する方法、またはいったんシート状、棒状あるいはブロック状に乾式加圧成形した後、適当な大きさに裁断または粉砕する方法があげられる。上記において加圧は通常常温下で行うが、加温・・・加湿・・・下で行っても差し支えない。・・・加圧成形はロール式加圧成形機（コンパクティングプレス機、ブリケッティングプレス機など）、ピストン式加圧成形機、スクリュー式加圧成形機、目皿押し出し式成形機などを用いて行うことができる。・・・本発明において、該造粒物の形状は任意でよく、たとえば球状、円筒状、板状、岩状、直方体状、円錐状、角錐状、棒状などの種々の形状があげられる。・・・このようにして得られた造粒物に吸水性樹脂をまぶし、本発明の排泄物用処理材とする。」（段落００１３〜００１５）こと、「該造粒物に吸水性樹脂微粉末をまぶす（造粒物の表面に付着または固着させる）方法としては、該造粒物と吸水性樹脂微粉末を機械的にブレンドすることによって容易に行うことができる。該造粒物表面に存在する少量の水分がバインダーとなって、吸水性樹脂微粒子が造粒物表面に固着する。したがって、造粒物表面の水分量が少なすぎると十分に接着できず、逆に多すぎると造粒物の表面に接着した吸水性樹脂粒子がゲル状になって接着力が低下する。」（段落００１６）こと、「（１）水分の吸収が速いため、すぐに表面が半乾きの状態となり尿がペット等の動物の毛や足に付着して部屋等を汚すことがない。」（段落００３０）ことが記載されている。
　上記記載を総合すると、刊行物２には、「加圧成形により定形に造粒された吸水性粗粒状物から成り、上記吸水性粗粒状物の表面を吸水性樹脂でまぶした動物用排尿処理材」が記載され、吸水性粗粒状物の形状は、たとえば球状、円筒状、板状、岩状、直方体状、円錐状、角錐状、棒状などの種々の形状のような任意のものと認める。
（対比・判断）
　請求項１ないし４に係る発明と刊行物１，２に記載された発明を対比すると、刊行物１，２には、吸水性粗粒状物の形状としては、具体的には球状、円筒状、板状、岩状、直方体状、円錐状、角錐状、棒状が示されているが、請求項１ないし４に係る発明を特定する事項である吸水性粗粒状物が「周面形状が円形又は多角形で上面と下面の双方又は一方の形状が凸曲形に賦形されている」（請求項１）または「周面形状が円形又は多角形で上面と下面の双方又は一方の形状が凹曲形に賦形されている」（請求項２）ことについての記載も、このことを示唆する記載も認められない。
　そして、上記形状により、「吸水性粗粒状物は円形相互の点接触又は多角形相互の辺接触により可及的に密接して且つ均一に敷詰めることができ、加えて凸曲形部が便器（トレ−）の表面に接触するように置設されることにより凸曲形部の頂点の周囲に環状の空隙を形成し、この環状空隙内の毛管現象を生じて排尿を保水し吸収を促す。この現象を個々の粗粒状物において生起することにより排尿の拡散及び排尿領域外に存する粗粒状物への過度の湿潤を良好に抑止する。」（段落【００１２】）、「同様に凹曲形部が上向きに置設されることにより、各凹曲部で尿受け皿を形成し、保水しつつ吸水を促し尿拡散と尿湿潤の拡大を抑止する。」（段落【００１３】）、「吸水性粗粒状物の上下面形状の双方又は一方を凸曲形又は凹曲形に賦形することにより、前記の通り尿の保水効果を高めて吸水を促すことができ、これにより尿の拡散、隣接する粗粒状物への過度の尿湿潤を有効に防止し、排尿領域の粗粒状物を除去し新しい粗粒状物を補充し復元できる効果を有効に生かすことができる」（段落【００５３】）という明細書に記載の顕著な作用効果を奏するものであるから、請求項１ないし４に係る発明は、刊行物１、２に記載の発明に基づいて当業者が容易に発明をすることができたものではない。
　したがって、訂正明細書の請求項１ないし４に係る発明は特許出願の際独立して特許を受けることができるものである。
エ．むすび
　以上のとおりであるから、上記訂正は、特許法第１２０条の４第２項及び同条第３項で準用する第１２６条第２ー４項の規定に適合するので当該訂正を認める。
（３）特許異議の申立てについて
ア．本件発明
　訂正明細書に添付された明細書の請求項１ないし４に係る発明は、その特許請求の範囲の請求項１ないし４に記載された事項により特定されるとおりのものである。
イ．申立ての理由の概要
　申立人阪本有紀は、証拠として甲第１号証（特開平６−７８６４３号公報）、甲第２号証（特開平６−９０６３３号公報）、甲第３号証（特開平６−２２６５９号公報）、甲第４号証（特開平４ー３３５８４１号公報）、甲第５号証（特公昭５３−３７９５６号公報）、甲第６号証（「造粒便覧」　日本粉体工業協会編　オーム社　昭和５３年発行）を提出し、本件請求項１ないし６に係る発明は、甲第１，２号証に記載の発明と実質的に同一であるから、請求項１ないし６に係る発明の特許は特許法第２９条第１項第３号の規定に違反してなされたものであり、また、請求項１ないし６に係る発明は、甲第１ないし５号証に記載の発明に基づいて当業者が容易に発明をすることができたものであるから、請求項１ないし６に係る発明の特許は、特許法第２９条第２項の規定に違反してなされたものであるから取り消すべきものである旨主張している。
ウ．申立人が提出した甲第各号証記載の発明
　甲第１号証は、当審の取消理由通知で引用した刊行物１であるから、甲第１号証には、上記（２）ウの（刊行物に記載の発明）に示したとおりの発明が記載されている。
　甲第２号証には、「無機質粉末（Ａ）、吸水性樹脂（Ｂ）の粉末、および必要によりバインダー（Ｃ）からなる混合物を乾式加圧成形してなるペットの排泄物処理材」（請求項１）が記載され、「本発明は、・・・猫や犬などのペットの排泄物を簡便に効率よく処理できる新規な処理材に関するものである」（段落０００１）こと、「（Ａ）、（Ｂ）粉末および必要により（Ｃ）からなる混合物を乾式加圧成形する方法としては、・・・混合物を適当な形、大きさの型の中でペレット状に乾式加圧成形する方法、または・・・いったんシート状、棒状あるいはブロック状に乾式加圧成形した後、適当な大きさに裁断または粉砕する方法が挙げられる・・・加圧成形はロール式加圧成形機（ブリケットマシーンなど）、ピストン式加圧成形機、スクリュー式加圧成形機、目皿押し出し式加圧成形機（ディスクペレッターなど）などを用いて行うことができる。・・・得られた加圧成形物の形状は任意でよく、たとえば球状、円筒状、板状、岩状、直方体状、円錐状、角錐状、棒状などの種々の形状があげられる。」（段落００１５．００１６）こと、「（１）従来のような湿式下で造粒せず、乾式下で加圧成形し、また後乾燥もしないため、有機性の繊維粒子同士が過度に固着することがなく、尿の吸収が速い。」（段落００２６）ことが記載されている。
　甲第３号証には、「・・・本発明は、・・・愛玩動物等の液状排泄物を効率よく吸収する排泄物処理用粒状材に関する。」（段落【０００１】）こと、「本発明の粒状材（１）は、前記コア層（ａ）を造粒しその表面に上記スキン層（ｂ）を被覆する・・・コア層（ａ）にスキン層（ｂ）を被覆して得られる粒状体（１）は・・・球状、円柱状、円筒状、円板状、顆粒状等形状はいずれのものであってもよい・・」（段落【００２１】）ことが記載されている。
　甲第４号証は、当審の取消理由通知で引用した刊行物２であるから、甲第４号証には、上記（２）ウの（刊行物に記載の発明）に示したとおりの発明が記載されている。
　甲第５号証には、「デンプンー付加重合性単量体の共重合物から誘導される水不溶性にして、かつ吸水性を有する物質Ａと、水不溶性にしてかつ皮膜形成性を有する物質Ｂとを、比較的吸水性の低い基体に適用することを特徴とする吸水性の付与法」（請求項１）が記載されている。
　甲第６号証には、「・・・成形された粒をタブレットまたは錠剤とよんでいる・・・タブレットの型には標準の丸型のほかに、フットボール型・三角型・四角型・六角型・長方型などあり、用途の要求に応じたものが選ばれる。・・・図２・４・６に標準的なタブレットの型を示す・・・」（１７９頁４・５・１打錠機の概要）と記載され、図２・４・６（１７９頁）の各種タブレットの型には、平面名称として、丸型、フットボール型・三角型・四角型・六角型・長方型の例が、側面名称として凸型（断面）、凹型（断面）の例が記載され、図２・４・３５（１９２頁）にはロールポケットの代表的形状例として（ａ）ピロー型、（ｂ）レンズ型、（ｃ）アーモンド型が記載され、図２・４・３６（１９３頁）にはプリズム型ロールの形状の例が３種記載され、図２・４・３７（１９３頁）には波形ロールの代表例が３種記載されている。
エ．対比・判断
　請求項１ないし４に係る発明と甲第１ないし６号証に記載された発明を対比すると、甲第１ないし６号証には、請求項１ないし４に係る発明を特定する事項である吸水性粗粒状物が「周面形状が円形又は多角形で上面と下面の双方又は一方の形状が凸曲形に賦形されている」（請求項１）「周面形状が円形又は多角形で上面と下面の双方又は一方の形状が凹曲形に賦形されている」（請求項２）ことについての記載も、このことを示唆する記載も認められない。
　そして、上記形状により、「吸水性粗粒状物は円形相互の点接触又は多角形相互の辺接触により可及的に密接して且つ均一に敷詰めることができ、加えて凸曲形部が便器（トレ−）の表面に接触するように置設されることにより凸曲形部の頂点の周囲に環状の空隙を形成し、この環状空隙内の毛管現象を生じて排尿を保水し吸収を促す。この現象を個々の粗粒状物において生起することにより排尿の拡散及び排尿領域外に存する粗粒状物への過度の湿潤を良好に抑止する。」（段落【００１２】）、「同様に凹曲形部が上向きに置設されることにより、各凹曲部で尿受け皿を形成し、保水しつつ吸水を促し尿拡散と尿湿潤の拡大を抑止する。」（段落【００１３】）、「吸水性粗粒状物の上下面形状の双方又は一方を凸曲形又は凹曲形に賦形することにより、前記の通り尿の保水効果を高めて吸水を促すことができ、これにより尿の拡散、隣接する粗粒状物への過度の尿湿潤を有効に防止し、排尿領域の粗粒状物を除去し新しい粗粒状物を補充し復元できる効果を有効に生かすことができる」（段落【００５３】）という明細書に記載の顕著な作用効果を奏するものであるから、請求項１ないし４に係る発明は、甲第１、２号証に記載された発明と同一であるとすることはできず、また、甲第１ないし６号証に記載の発明に基づいて当業者が容易に発明をすることができたものとすることもできない。
　なお、申立人は、甲第１，２号証には、得られた加圧成形物（吸水性粗粒状物）の形状は任意でよいことが記載され、甲第６号証には、タブレット等には種々の形状のものがあり用途の要求に応じたものが選ばれると記載されるように、当業者は用途に応じて形を自由に選択して賦形するものであり、さらに甲第６号証には周面形状を円形又は多角形とすること、上面と下面の双方が凸曲形または凹曲形に賦形されているものが記載されているから、本願のように凸（凹）曲形に賦形することを選択することは当業者であれば容易に実施できることである旨主張しているが、甲第１、２号証には「加圧成形物の形状は任意でよい」と記載されているとしても、具体例として上記の形状についての記載も、この形状を選択し得るような動機付けも認められないから、「形状は任意でよい」の記載をもって上記形状が実質的に記載されているとすることはできない。甲第６号証には、タブレット等には種々の形状のものがあり用途の要求に応じたものが選ばれることが記載され、形状として「上面と下面の双方又は一方の形状が凸曲形又は凹曲形に賦形されている」ものが例示されているが、甲第６号証には、タブレット等を吸水性粗粒状物として用い、吸収性粗粒状物ができるだけ限定した排尿領域で吸水性を発揮し得るように上記形状を選択し得るような「用途の要求」は記載されていない。
　したがって、甲第１、２、６号証からは、当業者は用途に応じて形を自由に選択して賦形するものであるとしても、吸水性粗粒状物として「上面と下面の双方又は一方の形状が凸曲形又は凹曲形に賦形する」ことは甲第１、２号証には記載されておらず、甲第６号証から上記特定の形状のものを選択して、甲第１、２号証と組み合わせる動機付けもないから、本願のように凸（凹）曲形に賦形することを選択することは当業者であれば容易に実施できることであるとする申立人の上記主張は採用できない。
オ．むすび
　以上のとおりであるから、特許異議の申立ての理由及び証拠によっては、請求項１ないし４に係るの発明の特許を取り消すことはできない。
　また、他に請求項１ないし４に係る発明の特許を取り消すべき理由を発見しない。
　よって、結論のとおり決定する。
【異議決定日】
平成１２年４月７日（２０００．４．７）
【訂正の要旨】
特許第２８３３６９７号発明の明細書を
本件訂正請求書に添付した訂正明細書の通りに訂正する。即ち、特許請求の範囲の減縮を目的として下記（ａ）のとおりに訂正し、また、明りょうでない記載の釈明を目的として下記（ｂ）のとおり訂正する。
（ａ）特許請求の範囲の
「【請求項１】無加水状態で圧縮成形により定形に造粒された吸水性粗粒状物から成り、上記吸水性粗粒状物中に吸水性ポリマーが配合され、該吸水性ポリマーが上記吸水性粗粒状物の表面に弱反応被層を形成してある動物用排尿処理材。
　【請求項２】圧縮成形により定形に造粒された吸水性粗粒状物からなり、同粗粒状物は周面形状が円形又は多角形で上面と下面の双方又は一方の形状が凸曲形に賦形されている動物用排尿処理材。
　【請求項３】圧縮成形により定形に造粒された吸水性粗粒状物からなり、同粗粒状物は周面形状が円形又は多角形で上面と下面の双方又は一方の形状が凹曲形に賦形されている動物用排尿処理材。
　【請求項４】上記吸水性粗粒状物中に吸水性ポリマーが配合され、該吸水性ポリマーが上記吸水性粗粒状物の表面に弱反応被層を形成している請求項２又は３記載の動物用排尿処理材。
　【請求項５】上記吸水性粗粒状物の表面をカバーコートで一体に覆ったことを特徴とする請求項２又は３記載の動物用排尿処理材。
　【請求項６】無加水状態で圧縮成形により定形に造粒された吸水性粗粒状物から成り、上記吸水性粗粒状物の表面を吸水性ポリマー又はポリビニルアルコール又は紙粉又は澱粉又はポリエチレングリコール又はポリプロピレングリコールから成るカバーコートで一体に覆ったことを特徴とする動物用排尿処理材。」を
「【請求項１】圧縮成形により定形に造粒された吸水性粗粒状物からなり、同粗粒状物は周面形状が円形又は多角形で上面と下面の双方又は一方の形状が凸曲形に賦形されている動物用排尿処理材。
　【請求項２】圧縮成形により定形に造粒された吸水性粗粒状物からなり、同粗粒状物は周面形状が円形又は多角形で上面と下面の双方又は一方の形状が凹曲形に賦形されている動物用排尿処理材。
　【請求項３】上記吸水性粗粒状物中に吸水性ポリマーが配合され、該吸水性ポリマーが上記吸水性粗粒状物の表面に弱反応被層を形成している請求項２又は３記載の動物用排尿処理材。
　【請求項４】上記吸水性粗粒状物の表面をカバーコートで一体に覆ったことを特徴とする請求項２又は３記載の動物用排尿処理材。」と訂正する。
（ｂ）明細書の「【００２６】又は上記無加水圧縮成形により上下面形状がフラット形の吸水性粗粒状物に賦形する。」を削除する。
（５４）【発明の名称】
動物用排尿処理材
（５７）【特許請求の範囲】
　【請求項１】圧縮成形により定形に造粒された吸水性粗粒状物から成り、同粗粒状物は周面形状が円形又は多角形で上面と下面の双方又は一方の形状が凸曲形に賦形されている動物用排尿処理材。
　【請求項２】圧縮成形により定形に造粒された吸水性粗粒状物から成り、同粗粒状物は周面形状が円形又は多角形で上面と下面の双方又は一方の形状が凹曲形に賦形されている動物用排尿処理材。
　【請求項３】上記吸水性粗粒状物中に吸水性ポリマーが配合され、該吸水性ポリマーが上記吸水性粗粒状物の表面に弱反応被層を形成している請求項１又は２記載の動物用排尿処理材。
　【請求項４】上記吸水性粗粒状物の表面をカバーコートで一体に覆ったことを特徴とする請求項１又は２記載の動物用排尿処理材。
【発明の詳細な説明】
　　　【０００１】
　　【発明の属する技術分野】
　この発明は吸水性粗粒状物から成る動物用排尿処理材に関し、殊に猫や室内犬等のペット類の排尿処理に使用される吸水性粗粒状物から成る処理材に係る。
　　　【０００２】
　　【発明が解決しようとする課題】
　上記吸水性粗粒状物から成る排尿処理材は、これを便器（トレー）に平面的に多数敷き詰め、猫や犬の排尿に供する使用形態が採られ、尿を吸収した部分の粗粒状物のみを除去して新しい粗粒状物を補充し再使用できる点が特徴である。
　　　【０００３】
　従ってその特徴を生かすには粗粒状物ができるだけ限定した排尿領域で吸水性を発揮し、排尿領域外への尿拡散と同領域外の粗粒状物への尿浸潤を可及的に抑止する効果を持つことが技術的課題となる。
　　　【０００４】
　然るに、従来品は何れも湿潤原料（加水原料）を多孔板や網材、又は押し出し機の貫通小孔に圧入して粒状化し乾燥する手段或いはバイブレーションによる粒状化手段が採られている。
　　　【０００５】
　斯様な手段で粒状化された排尿処理材は小孔の出口におけるちぎれにまかせるため形状が不定形であり、ちぎれ部における密度が粗であると同時に、全体として組織密度が過疎（空隙が大）で乾燥によって更に空隙を拡大し、巣（空洞）や亀裂を生成する。
　　　【０００６】
　このような粒子は容易にバラケを生ずるばかりか、保水性が悪化し、排尿領域の拡散と、粗粒状物による吸水領域の拡大を招きがちである。
　　　【０００７】
　　【課題を解決するための手段】
　本発明は上記粒状化した排尿処理材の問題点を解決し、その特徴を遺憾なく発揮させるようにしたものである。
　　　【０００８】
　この排尿処理材は、各種添加材を配合した原料を、無加水状態で密閉型により圧縮成形して定形に造粒し、吸水性粗粒状物に賦形したものである。
　　　【０００９】
　この吸水性粗粒状物は尿の吸水が迅速でトイレに流した時の離解性に優れた特徴を有している。又定形性を与えることにより、単位面積当りの敷設量の定量化を進め、浪費を防止すると共に、敷設面における吸水性能を均質にすることができる。又定形性を与えて均一な平面敷設を容易にしたことに加えて、ちぎれや乾燥による亀裂発生を防止してバラケや排尿領域に隣接する粗粒状物への過度の尿浸潤と尿拡散を有効に抑止する。
　　　【００１０】
　又原料を無加水状態で圧縮成形し粒状製品にするので、吸水性ポリマーに代表される水分反応物や温度劣化物を粒状物内に自由に配合し機能向上を図り得る。加えて造粒ラインにおける乾燥設備、水処理設備等を一切不要にし、工場スペースを削減する等の合理化が図れる。
　　　【００１１】
　又上記排尿の拡散と隣接する粗粒状物への過度の浸潤を抑止する手段として、上記吸水性粗粒状物を圧縮成形により定形に造粒すると共に、該吸水性粗粒状物に、周面形状が円形又は多角形で、上面と下面の双方又は一方の形状が凸曲形又は凹曲形の形状を与える。
　　　【００１２】
　上記吸水性粗粒状物は円形相互の点接触又は多角形相互の辺接触により可及的に密接して且つ均一に敷詰めることができ、加えて凸曲形部が便器（トレー）の表面に接するように置設されることにより凸曲形部の頂点の周囲に環状の空隙を形成し、この環状空隙内に毛管現象を生じて排尿を保水し吸収を促す。この現象を個々の粗粒状物において生起することにより排尿の拡散及び排尿領域外に存する粗粒状物への過度の浸潤を良好に抑止する。
　　　【００１３】
　同様に凹曲形部が上向きに置設されることにより、各凹曲形部で尿受け皿を形成し、保水しつつ吸水を促し尿拡散と尿浸潤の拡大を抑止する。
　　　【００１４】
　上記粗粒状物には吸水性ポリマーを配合して粒状化し、この吸水性ポリマーを粗粒状物の表面において弱反応させ、同表面に吸水性ポリマーの弱反応被層（カバーコート）を形成する。
　　　【００１５】
　このような吸水性ポリマーの配合（内添）及び弱反応被層の形成は、無加水圧縮成形において有用であり、排尿を吸収してゲル化し擬結する吸水性ポリマーの効用を遺憾なく発揮せしめ、又吸水性ポリマーによる弱反応被層により、粗粒状物を吸水性を阻害することなく有効に保形すると共に、内部の吸水性ポリマーを湿気から良好に保護する。
　　　【００１６】
　又上記カバーコートはポリビニルアルコールや澱粉等により形成することができる。
　　　【００１７】
　　【発明の実施の形態】
　以下、本発明の実施形態例を図１乃至図７を参照しつつ詳述する。この発明は動物用排尿処理材を吸水性粗粒状物１にて形成した場合を対象としている。
　　　【００１８】
　以下に述べる各実施形態例において、上記吸水性粗粒状物１は粗粒状化した時に吸水性を与える原料（以下吸水材と言う）を主材とし、これら粒状化した時に吸水性を与える吸水材としては各種パルプ（バージンパルプ又は古紙パルプ又は抄紙において抄網を通過したパルプ残滓又は、炭カル等の無機充▲填▼材の含有量を適度に調成した製紙スラッジ）、紙粉、オガクズ、木粉、オカラ、籾殻、コーヒー豆殻、コーヒー豆残渣、茶殻、活性炭等々である。これらに粉粒体から成るプラスチックやゴム等の有機物を含有させることを妨げない。
　　　【００１９】
　又これら吸水材、即ち吸水性粗粒状物１には所要の付加機能を与える為の添加材を配合することができる。主として粗粒状物に重量を付加する添加材として、即ち重量付加材として炭酸カルシウム、タルク、シリカゲル、クレー、ゼオライト、ベントナイト、石灰、カオリン、重晶石、無水ボー硝、塩化ナトリウム等の粉粒体から成る無機充▲填▼材を一種又は二種以上選択的に配合する。
　　　【００２０】
　特に無水ボー硝と塩化ナトリウムは重量付加材として適材である他、水に溶け易くトイレに流せることが求められるこの種排尿処理材として有効であり、又処理材を無加水圧縮成形する場合に適している。
　　　【００２１】
　又主として尿接触部位の凝固性を付加するための添加材として、即ち凝固材として、澱粉、カルボキシルメチルセルロース、吸水性ポリマー等の粉粒体を一種又は二種以上選択的に配合する。
　　　【００２２】
　上記吸水性ポリマーは吸水性を富加し、凝固反応性に富み適材である。又上記凝固材又は無機充▲填▼材は滑性を付与し無加水圧縮成形性と成形後の脱型を良好にする。
　　　【００２３】
　又抗菌材及び防カビ剤を吸水性粗粒状物１の内添材又は表面被層材として使用する。又界面活性材を吸水性粗粒状物１の内添材又は表面被層材として使用する。又尿の脱臭剤を同内添材又は表面被層材として使用する。
＜第１実施形態例（図１乃至図５参照）＞
　上記吸水材（上記各種添加材を配合した吸水材である場合を含む）を無加水状態で圧縮成形し定形に造粒し吸水性粗粒状物１にする。定形であるから図６、図７に示すような密閉形により吸水材の全周面を拘束し圧縮する成形法による。具体例としてパルプに無機充▲填▼材を配合し、更に吸水性ポリマーを配合し、これを無加水状態で圧縮成形により定形に造粒された吸水性粗粒状物１を形成する。
　　　【００２４】
　図１、図３に示すように、上記無加水圧縮成形により吸水性粗粒状物１の周面形状を円形２又は多角形３（例えば六角形又は八角形）に賦形し、上面と下面の双方又は一方の形状を凸曲形４に賦形する。
　　　【００２５】
　又は図２、図３に示すように、上記無加水圧縮成形により吸水性粗粒状物１の周面形状を円形２又は多角形３（例えば六角形又は八角形）に賦形し、上面と下面の双方又は一方の形状を凹曲形５に賦形する。
　　　【００２６】
　　　【００２７】
　上記無加水吸水材を圧縮成形により定形に造粒した吸水性粗粒状物１は尿の吸水時間が迅速で、トイレに流した時の離解性に優れた特徴を発揮する。又定形性の付与は均一な敷設と敷設量の定量化、並びに敷設面における尿吸収の均質性を達成する上で有利である。
　　　【００２８】
　加えて吸水性粗粒状物の上下面の凸曲形４と凹曲形５の形状は図４、図５に示すように、尿の捕捉作用を高める。この尿捕捉作用については第２実施形態例において詳述する。
＜第２実施形態例（図１乃至図５参照）＞
　この第２実施形態例は前記吸水材を加水状態で圧縮成形し、定形に造粒して前記凸曲形４又は凹曲形５を与えた点を技術的思想としている。従って外形を表わす図面は第１実施形態例と共通である。
　　　【００２９】
　詳述すると、上記吸水材（上記各種添加材を配合した吸水材である場合を含む）を加水状態で圧縮成形し定形に造粒し乾燥して吸水性粗粒状物１にする。定形であるから図６、図７に示すような密閉形により全周面を拘束し圧縮する成形法による。
　　　【００３０】
　図１、図３に示すように上記加水圧縮成形により吸水性粗粒状物１の周面形状を円形２又は多角形３（例えば六角形又は八角形）に賦形し、上面と下面の双方又は一方の形状を凸曲形４に賦形する。
　　　【００３１】
　又は図２、図３に示すように、上記加水圧縮成形により吸水性粗粒状物１の周面形状を円形２又は多角形３（例えば六角形又は八角形）に賦形し、上面と下面の双方又は一方の形状を凹曲形５に賦形する。
　　　【００３２】
　上記定形性の付与は均一な敷設と敷設量の定量化、並びに敷設面における尿吸収の均質性を達成する上で有利である。加えて吸水性粗粒状物１の上下面の凸曲形４と凹曲形５の形状は図４、図５に示すように、尿の捕捉作用を高める。
　　　【００３３】
　即ち、図４Ａ，Ｂに示すように、凸曲形４の面が便器を形成するトレー等の敷設面６に対し下向きに接するように置設された時、該凸曲形４の頂点の周囲に環状空隙７を形成し、この環状空隙７は毛管現象により尿８を保水しつつ各粗粒状物１による吸水を促す手段となる。
　　　【００３４】
　又図５Ａ，Ｂに示すように、凹曲形５が敷設面６に対し上向きに置設された時、該凹曲形５は尿８の受け皿となって保水しつつ各粗粒状物１による吸水を促す手段となる。
　　　【００３５】
　図４Ｂ及び図５Ｂに示すように、吸水性粗粒状物１の上面と下面の一方の形状を凸曲形４又は凹曲形５に賦形した場合には敷設面６に対し下向きに接するか上向きになる確率は全敷設粗粒状物において２分の１である。
　　　【００３６】
　又吸水性粗粒状物１の上面と下面の双方の形状を凸曲形４又は凹曲形５に賦形した場合には、図４Ａ，図５Ａに示すように、敷設面６に対し略全量の吸水性粗粒状物１の凸曲形４部が敷設面６に接する確率を有し、同様に略全量の吸水性粗粒状物１の凹曲形５部が敷設面６に対し上向きに配向され受尿皿を形成する確率を有する。
　　　【００３７】
　又上面と下面の双方を凹曲形５にした場合には、下向きの凹曲形の環状エッジ９が上向きの凹曲形５部を▲溢▼れて流出した尿を良好に吸収する。上記吸水性粗粒状物１を図６、図７に示す密閉形で圧縮成形することにより、粗粒状物１の環状エッジ９に他の面に比べ圧縮密度の粗なる線状領域を形成する。即ち圧縮密度が粗で吸水性が良好な環状エッジ９を組成する。
＜圧縮成形法について＞
　上記第１、第２実施形態例における吸水性粗粒状物は、一例として図６、図７に示すような密閉形で吸水材を拘束し全方向より圧縮を与えることにより定形に成形する。
　　　【００３８】
　この成形型は円形又は多角形の貫通成形孔１０を有する周面成形用型１１と、該貫通成形孔１０内に上方から突入される一本又は複数本の加圧ピン１２を単位として有する上面成形用加圧型と、貫通成形孔１０内に下方から挿入されている一本又は複数本の受圧ピン１４を単位として有する下面成形用受圧型１５とから成り、貫通成形孔１０内に吸水材（前記各種添加材を選択的に配合した吸水材を含む）を充▲填▼した後、加圧ピン１２と受圧ピン１４とを貫通成形孔１０内において型締めし、目的とする周面形状と上下面形状を与える。
　　　【００３９】
　図６Ａに示すように、吸水性粗粒状物１の上面と下面の形状を凸曲形５に賦形する場合には、加圧ピン１２と受圧ピン１４の対向する端面形状を凹曲形にする。
　　　【００４０】
　又図７Ａに示すように、吸水性粗粒状物１の上面と下面の形状を凹曲形４に賦形する場合には、加圧ピン１２と受圧ピン１４の対向する端面形状を凸曲形にする。
　　　【００４１】
　更に図６Ｂ，図７Ｂに示すように、吸水性粗粒状物１の上面と下面の一方の形状を凸曲形４又は凹曲形５にする場合には、前者においては加圧ピン１２又は受圧ピン１４の一方を凹曲形にし、後者においては同一方を凸曲形にする。
　　　【００４２】
　上記定形に賦形された吸水性粗粒状物１は図３，Ａ，Ｂに示すように、円形２にした周面形状により点接触して均一に敷詰める機会を作り、同様に多角形３にした周面形状により辺接触して均一に敷詰める機会をより多く作る。
　　　【００４３】
　同時に図４、図５に基いて説明した如き、凸曲形４又は凹曲形５による尿捕捉効果を高めて吸水を促し、結果として排尿領域外の粗粒状物への過度の尿浸潤を抑止する。
＜第３実施形態例（図８参照）＞
　この第３実施形態例においては、第１、第２実施形態例により形成された吸水性粗粒状物１中に吸水性ポリマーを配合し、該吸水性ポリマーの一部が上記吸水性粗粒状物１の表面に弱反応被層１６を形成している。
　　　【００４４】
　この吸水性ポリマーを配合した粗粒状物１にシャワー等により水分を貧含浸することにより、吸水性ポリマーが完全に反応しない、上記弱反応被層１６を形成できる。
　　　【００４５】
　弱反応被層１６はカバーコートとして機能し、上記吸水性粗粒状物の表面を吸水性ポリマー以外の物質から成るカバーコートで一体に覆う思想を開示している。
　　　【００４６】
　上記吸水性ポリマー以外の物質の適例としては澱粉被層又はポリビニールアルコール被層又はポリエチレングリコール被層又はポリプロピレングリコール被層である。
　　　【００４７】
　これらは溶液にして圧縮成形により定形に粒状化された粗粒状物１の表面にシャワー状に適量散布し、同粗粒状物１の表層部に浸透させて上記カバーコートを形成する。
　　　【００４８】
　上記吸水性ポリマーによる弱反応被層１６を含めたカバーコートは、吸水性粗粒状物１の環境に対する耐候性を付与し、経時変化を防止し、吸水効果を長期に亘り保全すると共に、内部に配合された添加材の効果を健全に維持し、加えて粗粒状物の保形効果を具有せしめ、粒子相互の摩擦による粉立ちを防止し、尿に接した時の粒状物相互の凝結作用を発揮する。殊に吸水材を無加水状態で定形に圧縮成形して粒状化する第１実施形態例においては、吸水材即ち吸水性粗粒状物１内に、吸水性ポリマーに代表される温度や水分に反応する添加材を自由に配合して機能向上を図ることができ、上記カバーコートはこの添加材による機能付加作用を遺憾なく発揮せしめる。
　　　【００４９】
　本発明は第１、第２、第３実施形態例の吸水性粗粒状物１を紙粉でまぶしつつカバーコートを施す場合を実施形態例として含む。この紙粉はカバーコートによる保形並びに品質保全効果に加え、初期吸水効果を適度に発揮せしめる上で有効である。
　　　【００５０】
　　【発明の効果】
　上記無加水状態で圧縮成形し定形に造粒した吸水性粗粒状物は尿の吸水が迅速で、トイレに流した時の離解性に優れた特徴を発揮する。
　　　【００５１】
　又定形性を与えることにより敷設量の定量化、均一化を図る利点を享受でき、これにより浪費を有効に防止し、排尿面域において均質な吸水効果を発揮せしめることができる。
　　　【００５２】
　又無加水圧縮成形により水分や温度に反応する添加材を自由に添加し排尿処理材としての機能を富加することができる。加えて水処理設備や乾燥設備を不要とし生産ラインの合理化を達成できる。
　　　【００５３】
　又上記吸水性粗粒状物の上下面形状の双方又は一方を凸曲形又は凹曲形に賦形することにより、前記の通り尿の保水効果を高めて吸水を促すことができ、これにより尿の拡散、隣接する粗粒状物への過度の尿浸潤を有効に抑止し、排尿領域の粗粒状物を除去し新しい粗粒状物を補充し復元できる効果を有効に生かすことができる。この効果は粗粒状物を無加水圧縮成形にて定形に造粒する構成にすることにより一層向上される。
　　　【００５４】
　又吸水性粗粒状物を薄いカバーコートで被層することにより、同粗粒状物の吸水性能を健全に保全し、又内添された吸水性ポリマーの効用を健全に発揮せしめることができ、加えて粗粒状物を有効に保形することができる。この効果は無加水吸水材を圧縮成形により定形に造粒した場合に顕著である。
【図面の簡単な説明】
　　【図１】
　Ａ，Ｂは上下面の一方又は双方の形状を凸曲形に賦形した吸水性粗粒物から成る動物の排尿処理材の断面図である。
　　【図２】
　Ａ，Ｂは上下面の一方又は双方の形状を凹曲形に賦形した吸水性粗粒状物から成る動物の排尿処理材の断面図である。
　　【図３】
　Ａ，Ｂは上記図１、図２の吸水性粗粒状物の周面形状を円形又は多角形に賦形し、敷設した状態を示す平面図である。
　　【図４】
　Ａ，Ｂは上記図１Ａ，Ｂに示す凸曲形を有する吸水性粗粒状物を敷設した場合の尿保水効果を説明する同粗粒状物の断面図である。
　　【図５】
　Ａ，Ｂは上記図２Ａ，Ｂに示す凹曲形を有する吸水性粗粒状物を敷設した場合の尿保水効果を説明する同粗粒状物の断面図である。
　　【図６】
　Ａ，Ｂは上記図１Ａ，Ｂに示す吸水性粗粒状物に凸曲形を付与する成形型の断面図である。
　　【図７】
　Ａ，Ｂは上記図２Ａ，Ｂに示す吸水性粗粒状物に凹曲形を付与する成形型の断面図である。
　　【図８】
　上記図１、図２の吸水性粗粒状物をカバーコートで被層した場合を示す断面図である。
　　【符号の説明】
　　１　　　　　吸水性粗粒状物
　　２　　　　　円形
　　３　　　　　多角形
　　４　　　　　凸曲形
　　５　　　　　凹曲形
　　６　　　　　敷設面
　　７　　　　　環状空隙
　　８　　　　　尿
　　９　　　　　エッジ
　１６　　　　　弱反応被層